(57)【特許請求の範囲】
【請求項１】
内部に管腔を有する可撓性の長尺体からなるカテーテル本体と、該カテーテル本体の先端部に位置し、異物を回収する開口部を有する先端ケース部と、該先端ケース部の開口部より一部が露呈し、前記先端ケース部内において軸方向に可動する異物切削手段と、から構成され、
前記カテーテル本体の先端側を前記先端ケース部と共に血管内に挿入すると共に、該カテーテル本体の基端部を吸引装置に接続し、該吸引装置によって管腔内に負圧を発生させることで、前記異物切削手段を動作させて前記先端ケース部の開口部において血管内壁に付着する異物を切削すると共に、該異物を前記開口部よりカテーテル本体内に吸引して回収する療法に用いられる吸引カテーテルであって、
前記異物切削手段は、
前記軸方向に対して略直交する向きに配された切削領域を複数列備え、隣接する該切削領域の間隔が変化することに対して復元する弾性力を有する切削部と、
外部より動力の付与を受けて軸方向に可動する動力受付部と、
前記切削部と前記動力受付部とを連結し、該動力受付部が受けた動力を該切削部に伝達する動力伝達杆と、
を有し、
前記切削部は、一端が前記先端ケース部の先端側において前記動力伝達杆と接続され、他端が前記先端ケース部の基端側において内壁面に固定されている、
ことを特徴とする吸引カテーテル。
【請求項２】
前記切削部は、線状部材を幾重にも巻回して形成した螺旋状体であることを特徴とする請求項１に記載の吸引カテーテル。
【請求項３】
前記線状部材は、少なくとも切削領域の表面が非平坦であることを特徴とする請求項２に記載の吸引カテーテル。
【請求項４】
前記線状部材は、断面形状が多角形であることを特徴とする請求項２に記載の吸引カテーテル。
【請求項５】
前記切削部は、面状部材又は筒状部材に山折り部と谷折り部とを繰り返し形成した蛇腹状体であることを特徴とする請求項１に記載の吸引カテーテル。
【請求項６】
前記切削部は、先端側から基端側へ向かうに従って徐々に幅広もしくは径大となることを特徴とする請求項２乃至５の何れか１項に記載の吸引カテーテル。
【請求項７】
前記先端ケース部は、前記異物切削手段のカテーテル本体の基端部側への移動を制限する係止部を内壁面に備えることを特徴とする請求項１乃至６のいずれか１項に記載の吸引カテーテル。
【請求項８】
前記先端ケース部又は前記異物切削手段の少なくとも一部は、金属部材により形成されていることを特徴とする請求項１乃至７のいずれか１項に記載の吸引カテーテル。
【請求項９】
前記開口部は、先端部が斜めに形成された先端ケース部の先端斜面に設けられていることを特徴とする請求項１乃至８のいずれか１項に記載の吸引カテーテル。
【請求項１０】
前記開口部は、先端ケース部の先端側周胴面に設けられていることを特徴とする請求項１乃至８のいずれか１項に記載の吸引カテーテル。
【請求項１１】
前記動力受付部は、磁性体からなり、
前記先端ケース部は、前記動力受付部に動力を付与する磁力発生手段を内壁面に備える、
ことを特徴とする請求項１乃至１０のいずれか１項に記載の吸引カテーテル。
【請求項１２】
前記カテーテル本体及び／又は前記先端ケース部は、ガイドワイヤを挿通するガイドワイヤ腔を外面に備えることを特徴とする請求項１乃至１１のいずれか１項に記載の吸引カテーテル。
【請求項１３】
前記請求項１乃至１２のいずれか１項に記載の吸引カテーテルと、
前記吸引カテーテルにおける前記異物切削手段に動力を付与する駆動手段と、
から構成されることを特徴とする吸引カテーテルシステム。
【請求項１４】
前記駆動手段は、前記異物切削手段に付与する動力強度の調整が可能であることを特徴とする請求項１３に記載の吸引カテーテルシステム。
【請求項１５】
前記異物切削手段は、前記駆動手段の動力強度の変化に応じて複動を可能とする伸縮部を備え、
前記駆動手段は、吸引力によって前記異物切削手段を引きつける吸引装置である、
ことを特徴とする請求項１３又は１４に記載の吸引カテーテルシステム。
【請求項１６】
前記異物切削手段は、その一部又は全部が磁性体からなり、
前記駆動手段は、磁力によって前記異物切削手段を引きつける又は反発する磁力装置である、
ことを特徴とする請求項１３又は１４に記載の吸引カテーテルシステム。
【発明の詳細な説明】
【技術分野】
【０００１】
本発明は、血管内に挿入して血栓等の異物を吸引して除去する療法に用いられる吸引カテーテルに係り、詳しくは、脳梗塞や心筋梗塞といった血管系に異物による閉塞状態が生じたとき、異物を下流側へ流してしまうことなく、血管内よりその異物を容易にかつ円滑に回収除去するようにした技術に関するものである。
【背景技術】
【０００２】
血管の閉塞として知られている疾患は多く、たとえば、脳梗塞や心筋梗塞はそれぞれ臓器の動脈系が閉塞する疾患であり、エコノミークラス症候群は下肢の静脈血栓が肺血管の閉塞を起こして死に至る確立が高い疾患である。
【０００３】
このような血管の内部に生じた血栓を、血管内を通した装置により除去しようとする手段として、今まで主に、吸引カテーテルの先端開口部を直接血栓等の異物に当てて吸引除去する方法と、血栓を破壊して血栓屑を吸引カテーテルで吸引しようとする方法とが知られている。
【０００４】
たとえば、血管に挿入されるカテーテル本体と、カテーテル本体を振動させる振動部とからなり、振動しているカテーテル本体を血栓に当接させることにより、振動によって血栓を表面部分から徐々に崩壊させ、血管を傷つけることなく血栓を迅速に除去するようにした技術が提案されている（特許文献１参照）。
また、カテーテル先端付近にアクチュエータを設置し、アクチュエータを振動させることでカテーテル先端を振動させ、カテーテル先端またはその先端に設けた凹凸面により環境を削りとるようにした技術が提案されている（特許文献２参照）。
【０００５】
また、カテーテル本体の先端部に、先細りテーパ形状でかつ少なくとも１巻き以上のコイル状片を有する巻回部を設け、内部に配置した異物破砕用カテーテルが液体ジェット流を噴射して破砕した血管内の異物（血栓）を、この先端部から吸引し、外部に取り出すようにした技術が提案されている（特許文献３参照）。
また、被溶解部材を溶解するために被溶解部材に向けて溶解剤を吐出するための吐出口と、溶けずに残存している細かな被溶解部材を吸引するための吸引口とを備える管体に、被溶解部材を粉砕する機械的振動付与手段を設け、溶けずに残る細かな血栓を吸引口から吸い取るようにした技術が提案されている（特許文献４参照）。
さらに、カテーテルにバイブレータを取り付け、先端部外周面に形成した凹凸部分を振動させることにより、動脈硬化を起こしている狭窄部のアテロームを凹凸部分で削り、先端部の吸口部より体外に吸い出すようにした技術が提案されている（特許文献５参照）。
【０００６】
しかしながら、上記特許文献１及び２に記載の手段では、何れも血栓を取り除く力が不十分であり、血栓を容易にかつ円滑に取り除くことができない。
また、上記特許文献３乃至５に記載の手段は、何れも血栓を破壊等する位置と血栓を回収する位置とが離れているため、血流方向によっては血栓屑が下流に流れてしまう虞がある。すなわち、たとえば頭部における血管内の血栓を取り除く場合、血液の流れに対し上流側よりカテーテルを挿入することとなるため、破壊等と略同時に血栓を回収しないと、血栓屑は容易に下流に流れてしまう。その結果、下流に流れてしまった血栓屑は、動脈系の場合、末梢の毛細血管において新たな血栓を作り出してしまう一因となってしまう。
【０００７】
したがって、血管の内部に生じた血栓等の異物を吸引除去する吸引カテーテルにおいて要求される点としては、以下のようなことが挙げられる。
１）血栓を十分に取り除くことができること。
２）血栓屑を下流に流さないこと。
３）安全に行えること。
４）血管の複雑な屈曲に追随できること。
【０００８】
ところが、上記した要求を全て満たした吸引カテーテルは、現在のところ何ら提案されていない。ゆえに、血管の内部に生じた血栓等の異物を下流側へ流してしまうことなく、血管内よりその異物を容易にかつ円滑に回収除去するようにした吸引カテーテルの提案が望まれている。
【０００９】
そこで、図１７に示すように、カテーテル本体１０１の先端部に、軸方向に可動する異物切削手段１０３を設け、カテーテル本体１０１の基端部を吸引装置に接続してカテーテル本体１０１の管腔１１１内に負圧を発生させることで異物切削手段１０３を動作させ、血管内壁に付着する異物を切削すると共に、切削後の異物を直ちに吸引して回収するようにした吸引カテーテル１００が、本発明者によって既に提案されている（特許文献６参照）。
【００１０】
具体的には、この吸引カテーテル１００は、内部に管腔１１１を有する可撓性の長尺体からなるカテーテル本体１０１と、カテーテル本体１０１の先端部に位置し、異物を回収する開口部１０４を有する先端ケース部１０２と、この開口部１０４より一部が露呈し、先端ケース部１０２内において軸方向に可動する異物切削手段１０３とから構成されている。また、異物切削手段１０３は、開口部より露呈する切削部１３１と、外部より動力の付与を受けて切削部１３１を従動させる動力受付部１３２とを有する。
【００１１】
しかしながら、本発明者において提案された上記吸引カテーテル１００は、切削部１３１の一端１３１ａが先端ケース部１０２の先端内面１０２ａに固定され、切削部１３１の他端１３１ｂが先端ケース部１０２の基端側において動力受付部１３２と連結されているため、切削部１３１の構造や素材の性質によっては、先端側と基端側とで可動距離に差が生じてしまうことがある。
【００１２】
すなわち、図１８（Ａ）において矢印で示すように、管腔１１１内が負圧になることによって動力受付部１３２が基端側へ移動すると、これに従動して図中の点線矢印で示すように切削部１３１が可動するが、このとき切削部１３１が他端１３１ｂ側より引っ張られるため、他端１３１ｂ側の切削領域の間隔が大きく、一端１３１ａ側の切削領域の間隔が小さいものとなってしまうことある。図１８（Ｂ）において、一端１３１ａ側より他端１３１ｂ側へ向かうにしたがって切削領域の間隔をｄ１、ｄ２、ｄ３、ｄ４、ｄ５、ｄ６、ｄ７とすると、切削領域の間隔の大きさは、ｄ１＜ｄ２＜ｄ３＜ｄ４＜ｄ５＜ｄ６＜ｄ７になるものとして示されている。
【００１３】
ゆえに、本発明者において提案された上記吸引カテーテル１００では、血管の内部に生じた血栓等の異物を下流側へ流してしまうことなく、血管内よりその異物を容易にかつ円滑に回収除去することができるが、切削部１３１の構造や素材の性質によっては、切削部１３１の一端１３１ａ側の切削領域の間隔が小さいため、吸引カテーテル１００の先端側において効果的に異物を切削することが困難となることがある。すなわち、血管内の異物と接触するのは吸引カテーテル１００の先端部であるので、先端側での異物の切削動作が効果的に行われることが望ましい。
【先行技術文献】
【特許文献】
【００１４】
【特許文献１】特開２００５−９５４１０号公報
【特許文献２】特開平９−１９２２３０号公報
【特許文献３】特開２００６−２７１６９３号公報
【特許文献４】特開２００６−２６３１２５号公報
【特許文献５】特開２０００−２７９５２５号公報
【特許文献６】特許第４２６７０５５号公報
【発明の概要】
【発明が解決しようとする課題】
【００１５】
本発明は、上記事情に鑑みて成されたものであり、吸引カテーテルの先端側において血管の内部に生じた血栓等の異物を効果的に切削することができ、この異物を下流側へ流してしまうことなく、血管内より容易にかつ円滑に回収除去するようにした吸引カテーテルと、この吸引カテーテルを効率良く動作可能とした吸引カテーテルシステムを提供することを目的とする。
【課題を解決するための手段】
【００１６】
上記の目的を達成するため、本発明の吸引カテーテルは、内部に管腔を有する可撓性の長尺体からなるカテーテル本体と、該カテーテル本体の先端部に位置し、異物を回収する開口部を有する先端ケース部と、該先端ケース部の開口部より一部が露呈し、前記先端ケース部内において軸方向に可動する異物切削手段と、から構成され、前記カテーテル本体の先端側を前記先端ケース部と共に血管内に挿入すると共に、該カテーテル本体の基端部を吸引装置に接続し、該吸引装置によって管腔内に負圧を発生させることで、前記異物切削手段を動作させて前記先端ケース部の開口部において血管内壁に付着する異物を切削すると共に、該異物を前記開口部よりカテーテル本体内に吸引して回収する療法に用いられる吸引カテーテルであって、前記異物切削手段は、前記軸方向に対して略直交する向きに配された切削領域を複数列備え、隣接する該切削領域の間隔が変化することに対して復元する弾性力を有する切削部と、外部より動力の付与を受けて軸方向に可動する動力受付部と、前記切削部と前記動力受付部とを連結し、該動力受付部が受けた動力を該切削部に伝達する動力伝達杆と、を有し、前記切削部は、一端が前記先端ケース部の先端側において前記動力伝達杆と接続され、他端が前記先端ケース部の基端側において内壁面に固定されている、ことを特徴とする。
【００１７】
また、本発明の吸引カテーテルは、前記吸引カテーテルにおいて、切削部は、線状部材を幾重にも巻回して形成した螺旋状体であることを特徴とする。
【００１８】
また、本発明の吸引カテーテルは、切削部が線状部材から形成された螺旋状体である前記吸引カテーテルにおいて、線状部材は、少なくとも切削領域の表面に凹凸を有することを特徴とする。
【００１９】
また、本発明の吸引カテーテルは、切削部が線状部材から形成された螺旋状体である前記吸引カテーテルにおいて、線状部材は、断面形状が多角形であることを特徴とする。
【００２０】
また、本発明の吸引カテーテルは、前記吸引カテーテルにおいて、切削部は、面状部材又は筒状部材に山折り部と谷折り部とを繰り返し形成した蛇腹状体であることを特徴とする。
【００２１】
また、本発明の吸引カテーテルは、前記各吸引カテーテルにおいて、切削部は、先端側から基端側へ向かうに従って徐々に幅広もしくは径大となることを特徴とする。
【００２２】
また、本発明の吸引カテーテルは、前記各吸引カテーテルにおいて、前記先端ケース部は、前記異物切削手段のカテーテル本体の基端部側への移動を制限する係止部を内壁面に備えることを特徴とする。
【００２３】
また、本発明の吸引カテーテルは、前記各吸引カテーテルにおいて、前記先端ケース部又は前記異物切削手段の少なくとも一部は、金属部材により形成されていることを特徴とする。
【００２４】
また、本発明の吸引カテーテルは、前記各吸引カテーテルにおいて、前記開口部は、先端部が斜めに形成された先端ケース部の先端斜面に設けられていることを特徴とする。
【００２５】
また、本発明の吸引カテーテルは、前記各吸引カテーテルにおいて、前記開口部は、先端ケース部の先端側周胴面に設けられていることを特徴とする。
【００２６】
また、本発明の吸引カテーテルは、前記各吸引カテーテルにおいて、前記動力受付部は、磁性体からなり、前記先端ケース部は、前記動力受付部に動力を付与する磁力発生手段を内壁面に備えることを特徴とする。
【００２７】
さらに、本発明の吸引カテーテルは、前記各吸引カテーテルにおいて、前記カテーテル本体及び／又は前記先端ケース部は、ガイドワイヤを挿通するガイドワイヤ腔を外面に備えることを特徴とする。
【００２８】
また、本発明の吸引カテーテルシステムは、上述したいずれかの吸引カテーテルと、この吸引カテーテルにおける前記異物切削手段に動力を付与する駆動手段と、から構成されることを特徴とする
【００２９】
また、本発明の吸引カテーテルシステムは、前記吸引カテーテルシステムにおいて、前記駆動手段は、前記異物切削手段に付与する動力強度の調整が可能であることを特徴とする。
【００３０】
また、本発明の吸引カテーテルシステムは、前記各吸引カテーテルシステムにおいて、前記異物切削手段は、前記駆動手段の動力強度の変化に応じて複動を可能とする伸縮部を備え、前記駆動手段は、吸引力によって前記異物切削手段を引きつける吸引装置であることを特徴とする。
【００３１】
さらに、本発明の吸引カテーテルシステムは、前記各吸引カテーテルシステムにおいて、前記異物切削手段は、その一部又は全部が磁性体からなり、前記駆動手段は、磁力によって前記異物切削手段を引きつける又は反発する磁力装置であることを特徴とする。
【発明の効果】
【００３２】
本発明において吸引カテーテルは、内部に管腔を有する可撓性の長尺体からなるカテーテル本体の先端部に配された先端ケース部内において可動する異物切削手段が、隣接する切削領域の間隔が変化する切削部と、外部より動力の付与を受けて軸方向に可動する動力受付部と、動力受付部が受けた動力を該切削部に伝達する動力伝達杆とを有し、切削部は、一端が先端ケース部の先端側において動力伝達杆と接続され、他端が先端ケース部の基端側において内壁面に固定されたものとなっている。
【００３３】
ゆえに、動力受付部からの動力の伝達を吸引カテーテルの先端側に位置する切削部の一端側において受け、切削領域の間隔が、該一端側より優先的に変化し、かつ、大きく変化するように異物切削手段が動作し、切削部の構造や素材の性質によって先端側における切削領域の間隔変化が小さいものとなってしまうことがなくなる。
【００３４】
したがって、吸引カテーテルの先端側において血管の内部に生じた血栓等の異物を効果的に切削することができ、この異物を下流側へ流してしまうことなく、血管内より容易にかつ円滑に回収除去するようにした吸引カテーテルと、この吸引カテーテルを効率良く動作可能とした吸引カテーテルシステムを提供することができる。
【図面の簡単な説明】
【００３５】
【図１】本発明に係る吸引カテーテルを示す図であり、（Ａ）は切削動作前を示す断面模式図、（Ｂ）は切削動作後を示す断面模式図、（Ｃ）は（Ｂ）中において一点鎖線で囲まれた符号Ａ部分（切削部）を示す拡大平面模式図である。
【図２】本発明に係る吸引カテーテルにおける異物切削手段の動作を順次説明する図であり、（Ａ）は吸引力の付与前を示す断面模式図、（Ｂ）は強い吸引力を付与した状態を示す断面模式図、（Ｃ）は弱い吸引力を付与した状態を示す断面模式図である。
【図３】吸引力に強弱を付与する手段の一例を示す図であり、（Ａ）は強い吸引力を付与した状態を示す概略模式図、（Ｂ）は弱い吸引力へ変更した状態を示す概略模式図である。
【図４】本発明に係る吸引カテーテルを用いて異物（血栓）を切削除去する工程を順次説明する断面模式図であり、（Ａ）は血管内へ吸引カテーテルを挿入した状態を示す断面模式図、（Ｂ）は血栓に吸引カテーテルの先端面を当接した状態を示す断面模式図、（Ｃ）は異物切削手段によって血栓を切削して血栓屑を回収する状態を示す断面模式図である。
【図５】本発明に係る吸引カテーテルにおける異物（血栓）の回収路を説明する図であり、（Ａ）は回収路が全開した状態を示す断面模式図、（Ｂ）は回収路が異物切削手段の動力受付部によって部分的に閉塞された状態を示す断面模式図である。
【図６】本発明に係る吸引カテーテルの他の例を示す断面模式図である。
【図７】本発明に係る吸引カテーテルの他の例を示す断面模式図である。
【図８】本発明に係る吸引カテーテルの他の例を示す断面模式図である。
【図９】図８に示す本発明の吸引カテーテルを用いて異物（血栓）を切削除去する状態を示す断面模式図である。
【図１０】本発明に係る吸引カテーテルの他の例を示す断面模式図である。
【図１１】図１０に示す本発明の吸引カテーテルを用いて異物（血栓）を切削除去する状態を示す断面模式図である。
【図１２】本発明で用いる切削部の断面形状の一例を示す図であり、（Ａ）は表面に半球状凸部を有する切削部の拡大断面模式図、（Ｂ）は表面に錘状凸部を有する切削部の拡大断面模式図、（Ｃ）は表面に半球状凹部を有する切削部の拡大断面模式図、（Ｄ）は表面に波線状凹部を有する切削部の拡大断面模式図である。
【図１３】本発明で用いる切削部の断面形状の一例を示す図であり、（Ａ）は上向き三角形状をした切削部の拡大断面模式図、（Ｂ）は下向き三角形状をした切削部の拡大断面模式図、（Ｃ）はひし形（ダイヤ形）をした切削部の拡大断面模式図、（Ｄ）は星型正多角形（星型正八角形）をした切削部の拡大断面模式図である。
【図１４】本発明で用いる切削部の他の例を示す図であり、（Ａ）は面状部材に山折り部と谷折り部とを繰り返し形成した蛇腹状体を示す模式図、（Ｂ）は面状部材に山折り部と谷折り部とを繰り返し形成し、先端側から基端側へ向かうに従って徐々に幅広（径大）となる蛇腹状体を示す模式図である。
【図１５】本発明で用いる切削部の他の例を示す図であり、筒状部材に山折り部と谷折り部とを繰り返し形成した蛇腹状体を示す模式図である。
【図１６】本発明で用いる切削部の他の例を示す図であり、（Ａ）は蛇腹状体を構成する板ばね部材の正面図、（Ｂ）は同板ばね部材の側面図、（Ｃ）は板ばね部材の向きを変えて交互に接続することで形成した蛇腹状体を示す模式図である。
【図１７】従来の吸引カテーテルを示す断面模式図である。
【図１８】従来の吸引カテーテルを示す図であり、（Ａ）は切削部が基端側に可動した状態を示す図であり、（Ｂ）は（Ａ）中における切削部を示す拡大平面模式図である。
【発明を実施するための形態】
【００３６】
以下、本発明における実施の形態の一例について、図面を参照して説明する。
なお、以下に述べる実施の形態は、本発明の好適な具体例であるため技術的に種々の限定が付されているが、本発明の範囲は、以下の説明において特に限定する旨の記載がない限り、これらの形態に限られるものではない。
【００３７】
本発明で意図する吸引カテーテルは、先端側を血管内に挿入すると共に、基端部を吸引装置に接続し、この吸引装置によって管腔内に負圧を発生させることで血管内の異物を吸引して回収する療法に用いられるものである。
すなわち、本発明の吸引カテーテルは、吸引手段（吸引装置）と組み合わせて用いられ、脳梗塞や心筋梗塞といった血管系に異物による閉塞状態が生じたとき、吸引カテーテルを病変まで深く挿入して血管を閉塞している血栓等の異物（以下、単に「血栓」という。）を直接吸引し、体外に除去するものである。なお、吸引装置は、上記療法において一般的に用いられている通常の装置であり、ここでの説明は省略する。
【００３８】
＜第１の実施の形態＞
図１に示すように、本実施の形態における吸引カテーテル１０は、カテーテル本体１と、このカテーテル本体１の先端部１ａに位置する先端ケース部２と、この先端ケース部２内に設置された異物切削手段３と、を備える。
【００３９】
カテーテル本体１は、内部に管腔１１を有する可撓性の長尺体からなる。したがって、カテーテル本体１は、血管の屈曲に十分追従することができる。
このカテーテル本体１に用いられる材料としては、たとえば、ポリ塩化ビニル、ポリエチレン、ポリプロピレン、ポリウレタン、エチレン−プロピレン共重合体、エチレン−酢酸ビニル共重合体等のポリオレフィン、ポリエチレンテレフタレート、ポリブチレンテレフタレート等のポリエステル、ポリアミド、ポリイミド、ポリテトラフルオロエチレン、ポリフッ化ビニリデン、その他フッ素系樹脂等の各種熱可塑性樹脂や熱硬化性樹脂、ポリアミドエラストマー、ポリエステルエラストマー等の熱可塑性エラストマー、各種ゴム等を挙げることができる。
【００４０】
また、カテーテル本体１の外径は特に限定されないが、毛細血管における血栓除去を可能とするため、その外径はできるだけ細くすると良く、たとえば、１ｍｍ程度とすることが望ましい。
【００４１】
先端ケース部２は、血栓を回収する開口部４を有する。また、この開口部４は、カテーテル本体１の管腔１１内に負圧を発生させることで血栓を吸引する入口でもある。したがって、開口部４は、血管内壁に付着する血栓に臨むように設けられている。
【００４２】
図１において、開口部４は、先端部が斜めに形成された先端ケース部２の先端斜面２１の一部に設けられていることが示されている。
この先端ケース部２は、カテーテル本体１と一体成形したものであっても良いし、別体成形したものであっても良い。
【００４３】
異物切削手段３は、先端ケース部２内において軸方向に可動する。ここで、軸方向とは、カテーテル本体１の長手軸方向と同方向をいう。
この異物切削手段３は、開口部４より一部が切削領域として露呈する切削部３１と、外部より動力の付与を受けて軸方向に可動する動力受付部３２と、切削部３１と動力受付部３２とを連結し、動力受付部３２が受けた動力を切削部３１に伝達する動力伝達杆３３とを有する。
【００４４】
切削部３１は、異物切削手段３が可動する軸方向に対して略直交する向きに掛け渡すように設けられた切削領域を備える。ここで、異物切削手段３の可動方向に対して略直交する向きとは、異物切削手段３の動作に伴って移動することで、切削領域が面軌跡を描く方向をいう。また、切削領域とは、異物と接触する部分をいう。
【００４５】
また、切削部３１は、切削した血栓を直ちに先端ケース部２内に取り入れる回収口を有するように形成されている。回収口を有するように構成した切削部３１としては、たとえば線状部材による切削領域が１つだけ形成されたアーチ状体や、隙間を設けながら線状部材を幾重にも巻回して切削領域を複数形成した螺旋状体とすることができる。
【００４６】
このように切削部３１をアーチ状体とすることで、異物切削手段３が可動する軸方向に対して略直交する向きに掛け渡すように設けられた線状部材部分の形状が血管の内壁形状に近似する弧状となり、血栓を効率良く除去し易いものとすることができる。
【００４７】
また、切削部３１は、切削領域が軸方向に沿って直列に複数列備えられた螺旋状体とすることが望ましく、切削部３１は、隣接する切削領域どうしの間隔が変化する（狭まる）ことに対して復元する（元の状態に戻ろうとする）弾性力を有する。
このように切削部３１を、幾重にも配された複数の切削領域を有する螺旋状体とすることで、バネ弾性を確保しながら、線状部材の一部が切削領域となり、血管内壁に付着する異物を効率良く複数同時に切削することができる。
【００４８】
図１において、切削部３１は螺旋状体（弦巻ばね形）として示され、切削部３１の一端３１ａは、先端ケース部２の先端側において動力伝達杆３３と接続され、この動力伝達杆３３を介して動力受付部３２と接続したものとして示されている。
一方、切削部３１の他端３１ｂは、先端ケース部４の基端側において内壁面２ｂに固定されたものとして示されている。すなわち、切削部３１の他端３１ｂは、切削部３１の一端３１ａと動力伝達杆３３とが接続された位置よりも基端側であって、先端ケース部２の開口部４より基端側の内壁面２ｂに固定されている。
【００４９】
ゆえに、本発明の吸引カテーテル１０を用いるためには、異物切削手段３の動力受付部３２に動力を付与する駆動手段を要し、本発明においては、吸引カテーテル１０と駆動手段（不図示）とによって吸引カテーテルシステムを構成する。
【００５０】
動力受付部３２を従動させる外部からの動力としては、たとえば動力受付部３２を引きつける吸引力とすることができる。このように吸引力を、異物切削手段３を可動させるための動力とすることで、カテーテル本体１の管腔１１内に負圧を発生させ、血栓を吸引して回収するのに用いる吸引装置（不図示）を併用することができる。
この場合、動力付与のために別途駆動手段を設けることなく、経済的、設計的、操作的に効率良く実施することができる。
【００５１】
また、動力受付部３２を引きつける動力を吸引力とした場合、動力受付部３２は、動力伝達杆３３を介して螺旋状体とした切削部３１の一端３１ａに取り付けた、たとえば球状に形成された膨大部とすることができる。
【００５２】
動力伝達杆３３は、動力受付部３２が受けた動力を切削部３１に伝達し、動力受付部３２の動きに伴って切削領域の間隔が変化するように切削部３１を軸方向に伸縮動させる。
【００５３】
図１（Ａ）に示された本実施の形態の吸引カテーテル１０において、吸引装置（不図示）によってカテーテル本体１の管腔１１内に負圧を発生させると、図１（Ｂ）において白抜き矢印で示すように吸引力が生じ、動力受付部３２に動力が付与されて、動力受付部３２は実線矢印方向に移動する。さらに、動力受付部３２の移動に追従して、切削部３１を構成する線状部材の間隔が狭まるように切削部３１が点線矢印方向に縮むことになる。
【００５４】
このとき切削部３１は、一端３１ａより基端側へ引っ張られるが、他端３１ｂが固定されているので切削領域の基端側が大きく後退することがない。ゆえに、切削部３１は、一端３１ａ側より優先的に切削領域の間隔が変化すると共に、その変化が大きなものとなるが、切削部３１に均一に動力が伝達されることで、切削領域の間隔の変化が全体的に略等しいものとなる。
図１（Ｃ）において、一端３１ａ側より他端３１ｂ側へ向かうにしたがって切削領域の間隔をＤ１、Ｄ２、Ｄ３、Ｄ４、Ｄ５、Ｄ６、Ｄ７とすると、切削領域の間隔の大きさは、Ｄ１＝Ｄ２＝Ｄ３＝Ｄ４＝Ｄ５＝Ｄ６＝Ｄ７になるものとして示されている。
【００５５】
また、本実施の形態では、切削部３１を螺旋状体とした場合、図２に示すように、異物切削手段３は、切削部３１のばね弾性により複動することができる。図２は、吸引カテーテル１０における異物切削手段３の動作を順次説明する図である。
異物切削手段３の複動は、動力受付部３２に動力を付与する駆動手段における動力強度の調整を行うことで実施できる。本実施の形態の場合、吸引圧の強弱によって動力強度の調整を行う。
【００５６】
すなわち、吸引カテーテル１０は、駆動手段（不図示）を用いない状態では、図２（Ａ）に示すように、異物切削手段３（切削部３１）は先端ケース部２の先端部に向かって伸長した状態となっている。
また、駆動手段によって管腔１１内に負圧を発生させ、強い吸引力を動力受付部３２に付与すると、図２（Ｂ）に示すように、動力受付部３２はカテーテル本体１基端部側へ引っ張られ、これに伴って切削部３１はばね付勢力（弾性力）に抗して収縮するものとなる。
そして、駆動手段を停止又はその吸引力を弱めると、図２（Ｃ）に示すように、動力受付部３２は切削部３１が備えるばね付勢力によって先端ケース部２の先端部側に解き放たれたように戻る状態となる。
【００５７】
なお、本実施の形態では、螺旋状体とした切削部３１が備えるばね弾性力が異物切削手段３の復動を可能としているが、異物切削手段３において伸縮機能を有していない場合、別途伸縮部を備える必要がある。
【００５８】
また、本実施の形態において先端ケース部２は、図１及び図２に示すように、動力受付部３２のカテーテル本体１基端部側への移動を制限する係止部５，５を内壁面に備える。この係止部５，５によって動力受付部３２が必要以上に引っ張られることなく、異物切削手段３の複動動作を効率良く円滑に行うことができる。
なお、係止部５，５は、先端ケース部２と一体成形したものであっても良いし、別体成形したものを取り付けるようにしたものであっても良い。
【００５９】
ここで、吸引圧に強弱の変化を付与する手段としては、たとえば、カテーテル本体１の管腔の大きさ（径）を変化させることを挙げることができる。すなわち、カテーテル本体１の途中を圧迫して吸引経路となる管径を狭めることで吸引力を弱めたり、逆に、圧迫を解除して管径を拡げる（元の管径の大きさに戻す）ことで吸引力を強めたりすることができる。
【００６０】
具体的には、たとえば、異物切削手段と吸引装置との間におけるカテーテル本体１の途中に、押圧することで変形可能な管径可変領域を形成すると共に、この管径可変領域を適度に押圧する部材を設けるものとする。
【００６１】
図３において、管径可変領域は、異物切削手段３と吸引装置との間におけるカテーテル本体１の途中に配されたゴム製チューブ等の弾性管８として示され、押圧する部材は、回転軸Ｏを中心に偏芯回転することで弾性管８を外部より適度に押圧する側面視略扇状をした圧迫子９として示されている。なお、圧迫子９は、たとえばモータにより自動的に高速で連続回転するものとすることができる。
具体的には、図３（Ａ）において、圧迫子９が弾性管８を押圧することなく、異物切削手段に強い吸引力を付与する状態が示され、図３（Ｂ）において、圧迫子９が弾性管８を押圧して異物切削手段へ付与される吸引力を弱めた状態が示されている。
【００６２】
これにより、本発明の吸引カテーテル１０では、動力伝達杆３３を介して動力受付部３２からの動力の伝達を切削部３１の一端３１ａ側において受け、この一端３１ａ側より効率良く優先的に切削領域の間隔が狭まるように異物切削手段３が動作するものとし、血管内壁に付着する異物を切削すると共に、この異物を開口部４よりカテーテル本体１内に吸引して回収することができる。また、吸引装置による吸引力に強弱をつけることで、切削部３１が軸方向に往復動することになり、連続して効率良く異物を切削することができる。
【００６３】
ゆえに、本発明の吸引カテーテル１０は、特に、切削部３１の素材や形状等により、一端３１ａ側と他端３１ｂ側とで切削領域の間隔変化に相違がある場合、すなわち、一端３１ａ側と他端３１ｂ側における切削領域の間隔の変化が不均一である場合に有効である。
【００６４】
次に、このように構成した吸引カテーテル１０を用いて血管内の血栓を切削除去する場合を説明する。図４は、吸引カテーテルを用いて血栓を切削除去する工程を順次説明する断面模式図である。
まず、図４（Ａ）に示すように、吸引カテーテル１０を血管ＢＶ内に挿入し、その先端側１０ａを血栓ＢＣまで到達させる。この際、吸引カテーテル１０の基端部は吸引装置に接続されている。
【００６５】
次いで、図４（Ｂ）に示すように、先端ケース部２の開口部４より露呈する異物切削手段３の切削部３１を血栓ＢＣに当接する。
そして、図４（Ｃ）に示すように、この吸引装置によって管腔１１内に負圧を発生させ、異物切削手段３を可動させることで、切削部３１によって血管内の血栓を切削すると共に、血栓屑を確実に吸引捕捉して回収する。
図４において、血栓ＢＣより切削された５つの血栓屑ｂｃ１、ｂｃ２，ｂｃ３，ｂｃ４，ｂｃ５が吸引回収されることが示されている。
【００６６】
また、係止部５，５は、図５（Ａ）に示すように、先端ケース部２の内壁面に部分的に突出するように設けられ、先端ケース部２におけるその他の部分は血栓屑を吸引回収する回収路６となっている。すなわち、係止部５が先端ケース部２の内壁面において均一の高さ（厚さ）に設けられていると、カテーテル本体１の基端部側へ引っ張られた動力受付部３２が、係止部５に当接することで回収路６が閉塞してしまう虞がある。
そこで、先端ケース部２の内壁面に部分的に突出するように係止部５を設けることで、図５（Ｂ）に示すように、カテーテル本体１の基端部側へ引っ張られた動力受付部３２が係止部５に当接しても、動力受付部３２の外側において回収路６が塞がれることがない。したがって、吸引回収された血栓屑は、回収路６を通って確実に吸引回収されることになる。
【００６７】
また、本実施の形態においては、先端ケース部２又は異物切削手段３の少なくとも一部を金属部材により形成すると望ましい。こうすることで、カテーテル本体１の先端位置がＸ線映像において確認することが可能となる。
【００６８】
以上のように本実施の形態においては、先端ケース部２に設けられた開口部４より露呈する異物切削手段３の切削部３１によって血栓ＢＣを切削する。これにより、最初に開口部４を血栓ＢＣに当接すると、管腔１１内に発生する負圧によって血栓ＢＣは開口部４より先端ケース部２内に引っ張られ状態となる。また、動力受付部３２も管腔１１内に発生する負圧によってカテーテル本体１の基端部側へ引っ張られ、切削部３１が引き伸ばされることになる。そして、切削部３１が引き伸ばされることによって血栓ＢＣが切削されると、切削された血栓屑は管腔１１内に発生する負圧によって直ちに、開口部４を介して切削部３１の隙間である回収口より先端ケース部２内に吸引されるものとなる。
【００６９】
したがって、切削した血栓屑を流してしまうことなく、全て先端ケース部２内に吸引しつつ血管内より血栓を容易にかつ円滑に回収除去することができる。しかも、開口部４より露呈する異物切削手段３の切削部３１によってその部分の血栓ＢＣだけを切削するので、これ以外の血管内壁といった部分を傷つけてしまう虞が無く、安全に行なうことができる。
【００７０】
また、本実施の形態においては、駆動手段における吸引力を調整することによって異物切削手段３（切削部３１）が複動する。これにより、管腔１１内に発生する負圧を強から弱めると、切削部３１が有するばね弾性の復元力によって切削部３１は縮まって元の長さに戻ることになる。そして、切削部３１が元の長さに戻る際も血栓ＢＣが切削されることとなり、切削された血栓屑は管腔１１内に発生する負圧によって直ちに、開口部４を介して切削部３１の隙間である回収口より先端ケース部２内に吸引されるものとなる。
【００７１】
したがって、切削部３１が引き伸ばされる動作と、切削部３１が縮まって元の長さに戻る動作とが繰り返される複動によって、効率良く血栓ＢＣを切削除去することができる。しかも、先端部が斜めに形成された先端ケース部の先端斜面２１に開口部４が設けられていることで、吸引カテーテルの周胴部が血栓と対向するように挿入することができない場合であっても、端部より血栓を徐々に切削除去することができる。
【００７２】
＜第２の実施の形態＞
また、本発明の吸引カテーテルは、血管内への挿入を効率良く行い、容易に患部（血栓）までたどり着けるようにすることもできる。すなわち、上述した第１の実施の形態とは、吸引カテーテル挿入補助手段を備える点で異なる。
なお、以下に述べる他の各実施の形態では、上述した第１の実施の形態と異なる部分を中心に説明する。したがって、第１の実施の形態と同様の構成部分は同じ符号を付してその説明は省略し、特に説明しない限り同じであるものとする。
【００７３】
図６に示すように、本実施の形態における吸引カテーテル２０は、カテーテル本体１と、このカテーテル本体１の先端部１ａに位置する先端ケース部２と、この先端ケース部２内に設置された異物切削手段３と、を備えると共に、カテーテル本体１及び／又は先端ケース部２の外面に、ガイドワイヤＷを挿通するガイドワイヤ腔７を備える。すなわち、吸引カテーテル２０は、吸引カテーテル挿入補助手段としてのガイドワイヤ腔７を、長手軸方向外面に備えている。
【００７４】
以上のように本実施の形態においては、予め血管内に挿入されたガイドワイヤＷをガイドワイヤ腔７に挿通し、このガイドワイヤＷに沿って吸引カテーテル２０を挿入することで、ガイドワイヤ腔７を吸引カテーテル挿入補助手段として用い、効率良く血管内への挿入を行うことができる。
【００７５】
＜第３の実施の形態＞
また、本発明の吸引カテーテルは、吸引力以外の駆動手段によって異物切削手段に対して動力を付与するようにすることもできる。すなわち、上述した第１の実施の形態とは、吸引装置とは別個に駆動手段を備える点で異なる。
【００７６】
図７に示すように、本実施の形態における吸引カテーテル３０は、カテーテル本体１と、このカテーテル本体１の先端部１ａに位置する先端ケース部２と、この先端ケース部２内に設置された異物切削手段１３とを備える。
【００７７】
異物切削手段１３は、その一部又は全部が磁性体からなり、たとえば開口部４より露呈する切削部３１と、外部より磁力を受けて切削部３１を従動させる動力受付部３４と、切削部３１と動力受付部３４とを連結し、動力受付部３４が受けた動力を切削部３１に伝達する動力伝達杆３３とを有する。
図７において、切削部３１は螺旋状体（弦巻ばね形）として示され、一端３１ａが先端ケース部２の先端側において動力伝達杆３３と接続され、この動力伝達杆３３を介して動力受付部３４と接続したものとして示されている。  一方、切削部３１の他端３１ｂは、先端ケース部４の基端側において内壁面２ｂに固定されたものとして示されている。
【００７８】
動力受付部３４としては、たとえば永久磁石とすることができる。この永久磁石は、フェライト磁石でも希土類磁石でも良く、特に種類は選ばない。
【００７９】
また、本実施の形態における駆動手段は、磁力によって動力受付部３４を引きつけたり、又は反発させたりする磁力装置である。
磁力装置としては、たとえば先端ケース部２の内壁面に設けた電磁石３５と、この電磁石３５へ電線３６を介して電力を供給する電力供給源を有する。この電磁石３５は、通電することによって一時的に磁力を発生させることや、電流の向きを変えることによって磁石の極を反対にすることができる。
【００８０】
以上のように本実施の形態においては、電磁石３５への通電によって発生させた磁力（引力磁場）による動力受付部３４の引き合いと、電磁石３５への通電を停止した磁力解消により、切削部３１が備えるばね付勢力に基づく先端ケース部２の先端内面２ａ側への引き合いによって、異物切削手段１３に対して動力を付与することができる。また、電磁石３５へ通電する電流の向きを変えた極の反転による動力受付部３４の引き合い（引力磁場）又は反発（斥力磁場）によって、異物切削手段１３に対して動力を付与することもできる。
しがたって、血栓屑を回収する吸引力を弱めることなく、異物切削手段の複動を可能とすることができる。  
【００８１】
＜第４の実施の形態＞
また、本発明の吸引カテーテルは、血栓に当接する開口部の向きを変更することもできる。すなわち、上述した第１の実施の形態とは、開口部が設けられた位置が異なる。
【００８２】
図８に示すように、本実施の形態における吸引カテーテル４０は、カテーテル本体１と、このカテーテル本体１の先端部１ａに位置する先端ケース部１２と、この先端ケース部１２内に設置された異物切削手段３とを備える。
【００８３】
先端ケース部１２は、血栓を回収する複数の開口部１４，１４を有する。この開口部１４は、カテーテル本体１の管腔１１内に負圧を発生させることで血栓を吸引する入口でもある。したがって、開口部１４は、血管内壁に付着する血栓に臨むように設けられている。
【００８４】
図８において、開口部１４は、先端へ行くにしたがって徐々に径が小さくなるように形成された先端ケース部１２の先端円錐面１２Ａに設けられていることが示されている。なお、ここでの円錐面とは、先端ケース部１２の先端へ行くにしたがって均等に径が小さくなる場合のほか、先端ケース部１２の先端へ行くにしたがって小さくなる径の程度が大きくなる弧状の場合をも含む。
この先端ケース部２は、カテーテル本体１と一体成形したものであっても良いし、別体成形したものであっても良い。
【００８５】
異物切削手段３は、それぞれの開口部１４，１４よりそれぞれ一部が露呈し、先端ケース部１２内において軸方向に可動する。
この異物切削手段３は、たとえば開口部１４より露呈する切削部３１と、外部より動力を受けて切削部３１を従動させる動力受付部３２と、切削部３１と動力受付部３２とを連結し、動力受付部３２が受けた動力を切削部３１に伝達する動力伝達杆３３とを有する。
図８において、切削部３１は螺旋状体（弦巻ばね形）として示され、一端３１ａが先端ケース部１２の先端側において動力伝達杆３３と接続され、この動力伝達杆３３を介して動力受付部３２と接続したものとして示されている。  一方、切削部３１の他端３１ｂは、先端ケース部１４の基端側において内壁面１２ｂに固定されたものとして示されている。
【００８６】
次に、このように構成した吸引カテーテル４０を用いて血管内の血栓を切削除去する場合を説明する。図９は、吸引カテーテルを用いて血栓を切削除去する方法を説明する断面模式図である。
まず、図９に示すように、吸引カテーテル４０を血管ＢＶ内に挿入し、その先端側４０ａを血栓ＢＣまで到達させて先端ケース部１２の開口部１４より露呈する異物切削手段３の切削部３１を血栓ＢＣに当接する。この際、吸引カテーテル４０の基端部は吸引装置に接続されている。そして、吸引装置によって管腔１１内に負圧を発生させ、異物切削手段３を複動させることで、切削部３１によって血管内の血栓を切削し、血栓屑を吸引して回収することができる。
【００８７】
以上のように本実施の形態においては、先端へ行くにしたがって徐々に径が小さくなるように形成された先端ケース部１２の円錐面１２Ａに複数の開口部１４，１４が設けられていることで、血管内のあらゆる方向に形成付着した血栓と対向するように吸引カテーテルを挿入することができる。したがって、血管内で吸引カテーテルを回転させることにより血管内を損傷させる虞なく、血管内のあらゆる方向に形成付着した血栓を切削除去することができる。
【００８８】
＜第５の実施の形態＞
また、本発明の吸引カテーテルは、血栓に当接する開口部の向きをさらに他の向きに変更することもできる。すなわち、上述した第１の実施の形態や第４の実施の形態とは、開口部が設けられた位置が何れも異なる。
【００８９】
図１０に示すように、本実施の形態における吸引カテーテル５０は、カテーテル本体１と、このカテーテル本体１の先端部１ａに位置する先端ケース部２２と、この先端ケース部２２内に設置された異物切削手段３とを備える。
【００９０】
先端ケース部２２は、血栓を回収する開口部２４を有する。この開口部２４は、カテーテル本体１の管腔１１内に負圧を発生させることで血栓を吸引する入口でもある。したがって、開口部２４は、血管内壁に付着する血栓に臨むように設けられている。
【００９１】
図１０において、開口部２４は、円筒形をした先端ケース部２２の先端側周胴面２２Ａに設けられていることが示されている。
この先端ケース部２２は、カテーテル本体１と一体成形したものであっても良いし、別体成形したものであっても良い。
【００９２】
異物切削手段３は、この開口部２４より一部が露呈し、先端ケース部２２内において軸方向に可動する。
この異物切削手段３は、たとえば開口部２４より露呈する切削部３１と、外部より動力を受けて切削部３１を従動させる動力受付部３２と、切削部３１と動力受付部３２とを連結し、動力受付部３２が受けた動力を切削部３１に伝達する動力伝達杆３３とを有する。
図１０において、切削部３１は螺旋状体（弦巻ばね形）として示され、一端３１ａが先端ケース部２２の先端側において動力伝達杆３３と接続され、この動力伝達杆３３を介して動力受付部３２と接続したものとして示されている。  一方、切削部３１の他端３１ｂは、先端ケース部２２の基端側において内壁面２２ｂに固定されたものとして示されている。
【００９３】
次に、このように構成した吸引カテーテル５０を用いて血管内の血栓を切削除去する場合を説明する。図１１は、吸引カテーテルを用いて血栓を切削除去する方法を説明する断面模式図である。
まず、図１１に示すように、吸引カテーテル５０を血管ＢＶ内に挿入し、その先端側５０ａを血栓ＢＣまで到達させて先端ケース部２２の開口部２４より露呈する異物切削手段３の切削部３１を血栓ＢＣに当接する。この際、吸引カテーテル５０の基端部は吸引装置に接続されている。そして、吸引装置によって管腔１１内に負圧を発生させ、異物切削手段３を複動させることで、切削部３１によって血管内の血栓を切削し、血栓屑を吸引して回収することができる。
【００９４】
以上のように本実施の形態においては、円筒形をした先端ケース部２２の先端側周胴面５１に開口部２４が設けられていることで、血管の壁面に向かって略平行に吸引カテーテルを挿入することができる。したがって、血管の内側より壁面に向かって血栓を切削除去することができる。
【００９５】
＜第６の実施の形態＞
また、本発明の吸引カテーテルは、上述した第１乃至第５の実施の形態において、螺旋状体（弦巻ばね形）からなる切削部３１を、少なくとも切削領域の表面が非平坦である線状部材により構成したものとすることができる。たとえば、図１２に示すように、線状部材からなる切削部の表面に半球状や錘状、等の凸部を形成したり、半球状の窪みや線状の線状凹部（溝部）を形成したりして、表面が凹凸状となるものとすると良い。
【００９６】
具体的には、図１２（Ａ）において、線状部材の表面に半球状凸部３７ａを複数有する切削部３１Ａが示され、図１２（Ｂ）において、線状部材の表面に錘状凸部３７ｂを複数有する切削部３１Ｂが示され、図１２（Ｃ）において、線状部材の表面に半球状凹部３８ａを複数有する切削部３１Ｃが示され、図１２（Ｄ）において、線状部材の表面に波線状凹部３８ｂを複数有する切削部３１Ｄが示されている。
【００９７】
また、線状部材の表面を非平坦とする他の手段としては、たとえば、図１３に示すように、線状部材からなる切削部の断面形状が多角形となるものとしても良い。
【００９８】
具体的には、図１３（Ａ）において、線状部材の断面形状が上向き三角形状をした切削部４１Ａが示され、図１３（Ｂ）において、線状部材の断面形状が下向き三角形状をした切削部４１Ｂが示され、図１３（Ｃ）において、線状部材の断面形状がひし形（ダイヤ形）をした切削部４１Ｃが示され、図１３（Ｄ）において、線状部材の断面形状が星型正多角形（星型正八角形）をした切削部４１Ｄが示されている。
【００９９】
このように切削領域の表面に凸部や凹部を設けた線状部材により切削部を構成することで、異物が凸部や凹部に引っ掛かり、効果的に異物を切削することができる。また、切削領域の断面形状が多角形状となる線状部材により切削部を構成することで、異物が角部に引っ掛かり、効果的に異物を切削することができる。
なお、図示しないが、線状部材の表面に細かな凹凸が多数設けられた梨肌面状に加工するものとしても、異物が梨肌面に接することで擦れて効果的に異物を切削するができる。
【０１００】
なお、本発明において線状部材は、その表面を全体的に非平坦なものとしても良いが、上述のように少なくとも線状部材の切削領域となる部分の表面のみが非平坦であり、それ以外は平坦なものであっても差し支えない。
【０１０１】
＜第７の実施の形態＞
また、本発明の吸引カテーテルは、上述した第１乃至第５の実施の形態における螺旋状体（弦巻ばね形）からなる切削部に換えて、蛇腹状体からなる切削部とすることもできる。すなわち、上述した第１乃至第５の実施の形態とは、切削部の構造が異なる。
【０１０２】
本実施の形態における切削部は、山折り部と谷折り部とを繰り返し形成した蛇腹状体とすることができる。たとえば、図１４に示すように、面状部材を曲折して山折り部と谷折り部とを繰り返し形成した蛇腹状板体や、図１５もしくは図１６に示すように、断面形状が円形又は多角形に形成された筒状部材に山折り部と谷折り部とを繰り返し形成した蛇腹状円筒体もしくは蛇腹状角筒体とすると良い。
【０１０３】
具体的には、図１４（Ａ）において、面状部材に山折り部５２と谷折り部５３とを繰り返し形成した蛇腹状板体からなる切削部５１Ａが示され、図１４（Ｂ）において、面状部材に山折り部５２と谷折り部５３とを繰り返し形成し、一端５１ａ側から他端５１ｂ側へ向かうに従って徐々に幅広・径大となる蛇腹状板体からなる切削部５１Ｂが示されている。
【０１０４】
この切削部５１Ａ，５１Ｂは、山折り部５２が異物を切削する領域となり、吸引カテーテルにおける先端ケース部の開口部より山折り部５２が露呈し、先端ケース部内において軸方向に可動するように配される。
また、切削部５１Ａ，５１Ｂは、上述した第１乃至第５の実施の形態における異物切削手段と同様に、外部より動力を受けて切削部５１Ａ，５１Ｂを従動させる動力受付部と、切削部５１Ａ，５１Ｂと動力受付部とを連結し、動力受付部が受けた動力を切削部５１Ａ，５１Ｂに伝達する動力伝達杆３３と共に異物切削手段を構成し、一端５１ａが、動力伝達杆３３と連絡されると共に、他端５１ｂが、先端ケース部の基端側において内壁面に固定されたものとなっている。
なお、蛇腹状板体は、面状部材の折り返し面毎の略中央に、動力伝達杆３３を挿通するための孔部５５を備える。ゆえに、蛇腹状板体は、孔部５５を介して可動する動力伝達杆３３に従動して伸縮するものとなる。
【０１０５】
このような蛇腹状板体からなる切削部５１Ａ，５１Ｂでは、山折り部５２及び谷折り部５３が共にバネ弾性を有し、面状部材の折り返し面同士の間隔を狭めると、元の状態に戻ろうとして折り返し面同士の間隔を拡げるように作用する。また、山折り部５２が切削領域となり、血管内壁に付着する異物を容易に切削することができる。
【０１０６】
また、図１５において、筒状部材に山折り部６２と谷折り部６３とを繰り返し形成した蛇腹状円筒体からなる切削部６１が示されている。
この切削部６１は、山折り部６２が異物を切削する領域となり、吸引カテーテルにおける先端ケース部の開口部より山折り部６２が露呈し、先端ケース部内において軸方向に可動するように配される。
【０１０７】
また、切削部６１は、上述した第１乃至第５の実施の形態における異物切削手段と同様に、外部より動力を受けて切削部６１を従動させる動力受付部と、切削部６１と動力受付部とを連結し、動力受付部が受けた動力を切削部６１に伝達する動力伝達杆３３と共に異物切削手段を構成し、一端６１ａが、動力伝達杆３３と連絡されると共に、他端６１ｂが、先端ケース部の基端側において内壁面に固定されたものとなっている。
なお、蛇腹状筒体は、内部が中空となっており、この内部を介して可動する動力伝達杆３３に従動して伸縮するものとなる。
【０１０８】
また、図示しないが、このような蛇腹状円筒体からなる切削部６１では、一端６１ａ側から他端６１ｂ側へ向かうに従って全体の外径が徐々に大きくなる蛇腹状円錐体もしくは蛇腹状角錐体とすることもできる。
【０１０９】
ゆえに、蛇腹状円筒体もしくは蛇腹状角筒体とした場合でも、蛇腹状板体からなる切削部と同様に、山折り部６２及び谷折り部６３が共にバネ弾性を有し、蛇腹状筒体の折り返し面同士の間隔を狭めると、元の状態に戻ろうとして折り返し面同士の間隔を拡げるように作用する。また、山折り部６２が切削領域となり、血管内壁に付着する異物を容易に切削することができる。
【０１１０】
また、蛇腹状円錐体もしくは蛇腹状角錐体とした場合、外径の小さい一端側と外径の大きい他端側とで切削領域となる山折り部同士の間隔変化の相違が顕著であるが、吸引カテーテルの先端部となる一端側において動力受付部からの動力の伝達を受けることで、一端側の切削領域の間隔を効率良く優先的に変化させ、血管内壁に付着する異物を切削することができる。
【０１１１】
また、図１６において、板ばね部材７２を複数用いた蛇腹状体からなる切削部７１が示されている。
図１６（Ａ）及び（Ｂ）に示すように、板ばね部材７２は、平面部材が前後に湾曲した側面視弓形状をしており、正面視中央付近に、動力伝達杆を挿通するための孔部７５を備える。すなわち、板ばね部材７２は側面視直線状に近づくように伸張させた場合、元の湾曲した側面視弓形状に戻ろうとするバネ弾性を有している。
【０１１２】
また、図１６（Ｃ）に示すように、切削部７１は、板ばね部材７２がその向きを表裏交互に変えながら複数重ねて配されると共に、その接縁部を接合することにより構成したものとして示されている。すなわち、切削部７１は、接合された複数の板ばね部材７２が湾曲する大きさの変化に応じてバネ弾性が生じるものとなっている。具体的には、二つの板ばね部材７２同士の間隔を狭めると、湾曲する板ばね部材７２は側面視直線状に近づくように伸張するものなるが、板ばね部材７２は元の湾曲した状態に戻ろうとして二つの板ばね部材７２同士の間隔を拡げるように作用するバネ弾性を有する。
【０１１３】
この切削部７１は、二つの板ばね部材７２が接続された上縁７２ａ部分が異物の切削領域となり、吸引カテーテルにおける先端ケース部の開口部より上縁７２ａが露呈し、先端ケース部内において軸方向に可動するように配される。
また、切削部７１は、上述した第１乃至第５の実施の形態における異物切削手段と同様に、外部より動力を受けて切削部７１を従動させる動力受付部と、切削部７１と動力受付部とを連結し、動力受付部が受けた動力を切削部７１に伝達する動力伝達杆３３と共に異物切削手段を構成し、一端７１ａが、動力伝達杆３３と連絡されると共に、他端７１ｂが、先端ケース部の基端側において内壁面に固定されたものとなっている。
【０１１４】
ゆえに、このような板ばね部材７２を複数用いて蛇腹状体とした切削部は、板ばね部材７２によってバネ弾性を確保しながら、上縁部が切削領域となり、血管内壁に付着する異物を容易に切削することができる。
【産業上の利用可能性】
【０１１５】
本発明は、血管内に挿入して血栓等の異物を吸引して除去する療法に用いられる吸引カテーテルを扱う業種において産業上有用であり、特に、脳や心臓の動脈、四肢の動脈と静脈における血栓を対象として吸引除去する吸引カテーテルにおける市場において有用である。
【符号の説明】
【０１１６】
ＢＶ  血管、ＢＣ  異物（血栓）、１  カテーテル本体、２  先端ケース部、２ａ  先端内面、３  異物切削手段（螺旋状体）、４  開口部、５  係止部、６  回収路、７  ガイドワイヤ腔、８  弾性管（ゴム製チューブ）、９  圧迫子、１０  吸引カテーテル、１１  管腔、２１  先端斜面、３１  切削部、３１ａ  一端、３１ｂ  他端、３２  動力受付部、３３  動力伝達杆。
【要約】      （修正有）【課題】吸引カテーテルの先端側において血管の内部に生じた血栓等の異物を効果的に切削することができ、切削後の異物を直ちに吸引して回収する。【解決手段】内部に管腔１１を有する可撓性の長尺体からなるカテーテル本体１と、カテーテル本体１の先端部１ａに位置し、異物を回収する開口部４を有する先端ケース部２と、この開口部４より一部が露呈し、先端ケース部２内において軸方向に可動する異物切削手段３から構成されている吸引カテーテル１０において、異物切削手段３の切削部３１は、一端３１ａが先端ケース部２の先端側において動力伝達杆３３と接続され、他端が先端ケース部２の基端側において内壁面に固定されている。ゆえに、動力受付部３２が受けた動力は、動力伝達杆３３を介して切削部３１の一端側に効率良く優先的に伝達され、吸引カテーテル１０の先端側において異物を効果的に切削することができる。【選択図】図１【図１】
0005694592.tif 000002
【図２】
0005694592.tif 000003
【図３】
0005694592.tif 000004
【図４】
0005694592.tif 000005
【図５】
0005694592.tif 000006
【図６】
0005694592.tif 000007
【図７】
0005694592.tif 000008
【図８】
0005694592.tif 000009
【図９】
0005694592.tif 000010
【図１０】
0005694592.tif 000011
【図１１】
0005694592.tif 000012
【図１２】
0005694592.tif 000013
【図１３】
0005694592.tif 000014
【図１４】
0005694592.tif 000015
【図１５】
0005694592.tif 000016
【図１６】
0005694592.tif 000017
【図１７】
0005694592.tif 000018
【図１８】
0005694592.tif 000019